(57)【要約】【課題】装着型通信装置はマイクが連結されている送受信部分を頭部または耳介部に固定する構造が主に使用されてきた。このような構造では長時間使用に際しては頭部または耳介部に荷重が掛かり続けることによる疲労または違和感を使用者に与える問題があった。このため使用者に違和感を与えない部位での使用が可能でかつ耐環境性に優れた通信装置の開発が課題となっていた。【解決手段】本発明においては、外部からの音声信号受信部と外耳道に挿入して使用するスピーカの駆動回路とを小型電池上に形成し、この小型電池部分をイヤリング上に接着した音声受信部と、外部の携帯電話等からの音声信号を受信して上記の音声受信部に赤外線または電波で送信する回路部分を耳以外の身体または衣服の一部に装着して使用する構成とした。【選択図】図１
2004134837.tif 000002
【特許請求の範囲】
【請求項１】
外耳道に挿入して使用するスピーカを有し、
赤外線または電波の何れかによる信号を受信する受信回路と、
前記スピーカを駆動するスピーカ駆動回路と、
前記受信回路およびスピーカ駆動回路の電源用の電池とをイヤリング台に固着し、
前記受信回路の出力端子を前記スピーカ駆動回路の入力端子に接続し、
前記スピーカ駆動回路の出力端子を前記スピーカに接続し、
前記赤外線または電波の何れかにより送信されてきた音声信号を前記受信回路で受信し、
前記スピーカで再生することを特徴とする装着型音声信号受信装置。
【請求項２】
請求項１に記載の受信回路は、１ビットノイズシェーピング量子化器により量子化された信号を赤外線または電波の何れかを介して受信するものであることを特徴とする装着型音声信号受信装置。
【請求項３】
外部の交信装置から送られてきた音声信号を受信する通信部と、前記通信部で受信した信号を請求項１に記載の装着型音声信号受信装置に赤外線または電波の何れかの手段により送信する信号送信部と、
前記通信部および信号送信部に含まれる各回路に電源供給する電池とを有し、
前記装着型音声信号受信装置を外耳部分に装着し、
前記通信部を外部の前記交信装置と送受信可能な位置で、衣服を含む身体の部分に装着し、
前記信号送信部を前記装着型音声信号受信装置に送信可能な位置で、衣服を含む身体の部分に装着して用いる、
ことを特徴とする装着型音声信号通信装置。
【請求項４】
請求項３に記載の通信部は、入力音声信号をディジタル化するＡ／Ｄ変換器と、送受信器と、１ビットノイズシェーピング量子化器とを含む構成であり、信号送信部はマイクと赤外線または電波の送信機とを含む構成であることを特徴とする装着型音声信号通信装置。
【発明の詳細な説明】
【０００１】
【発明の属する技術分野】
本発明は身体に違和感なく常時装着可能な音声通信装置に関するもので、特にその送受話装置に係る。
【０００２】
【従来の技術】
【非特許文献１】ｈｔｔｐ：／／ｐｃｗｅｂ．ｍｙｃｏｍ．ｃｏ．ｊｐ／ｎｅｗｓ／２００１／０９／０４／１４．ｈｔｍｌ
従来、携帯電話や固定電話やパーソナルコンピュータと人間の間の音声通信に関するインターフェースとしては図４に示すような無線ヘッドセットが一般的に使用されており、例えば上記非特許文献１に記載されている構成が報告されている。図４において、１１はスピーカ部、１２はマイク部、１３は送受信部およびスピーカ駆動部であり、スピーカ部１１を耳に、マイク部１２が口元になるように装着する。しかし、従来のヘッドセットは耳を覆う形状になっているため装着者に違和感をもたらし、長時間の装着に際しては使用者に疲労感を与えると同時に他者から装着者を見た時の外観上の違和感もあった。
【０００３】
【発明が解決しようとする課題】
以上述べた様に、従来のヘッドセットでは長時間使用に際しては装着者に疲労のみならず違和感を与え、更に外観上の違和感もあった。本発明においては、このような問題を解決し、装着者に疲労或いは違和感を与えることなく、また外観上の問題も解決した送受信装置を提供することを目的とするものである。
【０００４】
【課題を解決するための手段】
上記、目的を達成するために、本発明の請求項１においては、外耳道に挿入して使用するスピーカを有し、赤外線または電波の何れかによる信号を受信する受信回路と、前記スピーカを駆動するスピーカ駆動回路と、前記受信回路およびスピーカ駆動回路の電源用の電池とをイヤリング台に固着し、前記受信回路の出力端子を前記スピーカ駆動回路の入力端子に接続し、前記スピーカ駆動回路の出力端子を前記スピーカに接続し、前記赤外線または電波の何れかにより送信されてきた音声信号を前記受信回路で受信し、前記スピーカで再生する構成について規定している。
【０００５】
請求項２においては、請求項１に記載の受信回路を具体的に限定したもので、１ビットノイズシェーピング量子化器により量子化された信号を赤外線または電波の何れかを介して受信する受信回路を規定している。
【０００６】
請求項３においては、外部の交信装置から送られてきた音声信号を受信する通信部と、前記通信部で受信した信号を請求項１に記載の装着型音声信号受信装置に赤外線または電波の何れかの手段により送信する信号送信部と、前記通信部および信号送信部に含まれる各回路に電源供給する電池とを有し、前記装着型音声信号受信装置を外耳部分に装着し、前記通信部を外部の交信装置と送受信可能な位置で、衣服を含む身体の部分に装着し、前記信号送信部を前記装着型音声信号受信装置に送信可能な位置で、衣服を含む身体の部分に装着して用いる構成について規定している。
【０００７】
請求項４においては、請求項３に記載の通信部は、入力音声信号をディジタル化するＡ／Ｄ変換器と、例えばＢｌｕｅｔｏｏｔｈ送受信器等のような送受信器と、１ビットノイズシェーピング量子化器とを含む構成であり、信号送信部はマイクと赤外線または電波の送信機とを含む構成であることを規定している。
【０００８】
上記目的を達成するために、本発明の請求項１においては、赤外線または電波の何れかによる信号を受信する受信回路と、外耳道に挿入して使用するスピーカと、前記スピーカを駆動するスピーカ駆動回路と、前記受信回路およびスピーカ駆動回路の電源用の電池とをイヤリング台に固着し、前記受信回路の出力端子を前記スピーカ駆動回路の入力端子に接続し、前記スピーカ駆動回路の出力端子を前記スピーカに接続し、前記赤外線または電波の何れかにより送信されてきた音声信号を前記受信回路で受信し、前記スピーカで再生する装着型音声信号受信装置について規定している。
【０００９】
【発明の実施の形態】
図１は本発明における第１の実施の形態を示すものである。図１において、赤外線または電波を受信する受信回路２１とスピーカ２６を駆動するためのスピーカ駆動回路２２をコイン電池等の電池２３上に構成し、この電池２３と一体化されたこれら回路部分をイヤリング台２５に固着する（図においては固着直前の状況で示す）。さらに外耳道に挿入可能なスピーカ２６をフレキシブルな導線２４でスピーカ駆動回路２２の出力へ接続し、受信回路２１の出力をスピーカ駆動回路２２の入力に接続し、別途用意された信号送信部（図２における３１２）から送られて来る音声信号で変調された赤外線または電波を受信回路２１で受信し、これをスピーカ２６で再生する構成になっている。使用に際してはイヤリング台２５を通常のイヤリングのように耳に装着しスピーカ２６を外耳に挿入する。この外耳に挿入されたスピーカ２６は周囲の環境音を遮断する作用もあり、これにより明瞭な受信音が得られる。しかも、この構造にすることにより従来のヘッドセットのように耳を覆うことがなく、装着者に疲労あるいは違和感を与えることなく装着出来る。さらにイヤリングは常時装着しているものの１つであり常時装着に対して外観上も違和感を与えるものではない。
【００１０】
図２は本発明における第２の実施の形態を示すものであり、通信装置３１と音声信号受信装置３０とで構成された装着型音声通信装置である。通信装置３１は音声入出力機能のある通信部３１１と、音声信号受信装置３０に向けて赤外線または電波で音声信号を送信（図２における破線で示された曲線部）する信号送信部３１２とで構成されている。通信部３１１は携帯電話や固定電話やパーソナルコンピュータ等無線で音声信号の送受信を行う外部の交信装置３２との通信機能を有する部分で、外部の交信装置３２からの音声のデジタルデータ信号を通信部３１１で受信し信号送信部３１２により赤外線または電波に変調をかけて音声信号受信装置３０へ送信する。なお、通信部３１１と信号送信部３１２とは図２のように２部分に分割しても良いし、一体として組み込むことも可能である。
上記の通信装置３１は、例えば図２に示すようにネックレスまたはネックストラップに組み込むことにより外観上違和感なく装着することができ、かつイヤリング型の音声信号受信装置３０とはコードレスとなっているため使用者にとっても違和感を与えるものではない。さらに、図２においては通信部３１１と信号送信部３１２とを分離し、これら両者間を有線で接続する構成で示しているが、これは通信部３１１を外部の交信装置３２に対して最適の位置に配置し、同時に信号送信部３１２を音声信号受信装置３０に対して良好な信号送受信が行える位置に配置することも可能にするためである。この通信装置３１の装着手段としては、上記ネックレス等の利用以外に、衣服或いはベルトの一部にクリップ等で固定する方法も可能であり、いずれにしても音声信号受信装置３０と交信可能な位置で違和感なく装着し得る場所ならば何れの位置でも良いことは勿論である。
【００１１】
図３は通信装置３１の具体的構成の一例を示したもので、通信部３１１は、１ｂｉｔノイズシェーピング量子化器４２、Ｂｌｕｅｔｏｏｔｈ送受信器４３、Ａ／Ｄ変換器４４からなり、信号送信部３１２は赤外線通信のＩｒＤＡ送受信器４１およびマイク４５で構成されている。この場合、図３においては赤外線を用いたＩｒＤＡ利用の場合について示したが、これは赤外線に限定するものではなく、電波を用いても可能である。図３において、マイク４５で電気信号に変換された音声をＡ／Ｄ変換器４４でディジタルデータに変換しＢ１ｕｅｔｏｏｔｈ送受信器４３を介してＢｌｕｅｔｏｏｔｈ送受信機能を有する携帯電話やパーソナルコンピュータ等の外部の交信装置３２ヘ送信する。またＢ１ｕｅｔｏｏｔｈ送受信機能を有する携帯電話やパーソナルコンピュータ等の交信装置３２から音声信号のディジタルデータをＢ１ｕｅｔｏｏｔｈ送受信器４３で受信し、このデータを１ｂｉｔノイズシェーピング量子化器４２で１ｂｉｔのシリアルデータ列に変換し、赤外線送信部４１により赤外線を介して音声受信装置３０へ送る動作をする。本実施の形態ではＢ１ｕｅｔｏｏｔｈ送受信器を用いた場合について説明したが、無線ＬＡＮ等の他の通信方式を用いることも可能である。
【００１２】
【発明の効果】
イヤリングやネックレスは通常においても常時装着している装飾品であるため、本発明実施品を装着しても疲労感のみならず装着している本人の装着感および他人が装着者を見たときの外観に全く違和感を感じない効果を有している。
【図面の簡単な説明】
【図１】本発明第１の実施の形態を示す構成図。
【図２】本発明第２の実施の形態を示す構成図。
【図３】本発明で用いられる通信装置の例を示すブロック図。
【図４】従来の通信装置の例を示す外観図。
【符号の説明】
１１：従来構造のスピーカ部、　　　　１２：従来構造のマイク部、
１３：従来構造の送受信部およびスピーカ駆動部
２１：受信回路、　　　　　　　　　　２２：スピーカ駆動回路、
２３：電池、　　　　　　　　　　　　２４：導線
２５：イヤリング台、　　　　　　　　２６：スピーカ、
３０：音声信号受信装置、　　　　　　３１：通信装置
３１１：通信部、　　　　　　　　　３１２：信号送信部、
３２：交信装置　　　　　　　　　　　４１：ＩｒＤＡ送信部、
４２：１ｂｉｔノイズシェーピング量子化器、
４３：Ｂ１ｕｅｔｏｏｔｈ送受信器、　４４：Ａ／Ｄ変換器、
４５：マイク
【図１】
2004134837.tif 000003
【図２】
2004134837.tif 000004
【図３】
2004134837.tif 000005
【図４】
2004134837.tif 000006